(57)【要約】【課題】利便性を向上させた自動原稿搬送装置であって、特に、高齢者や障害者等が利用する際に、使い勝手の良い自動原稿搬送装置を備える画像形成装置を提供することを目的とする。【解決手段】画像形成装置１は、原稿の流し読みを行うための自動原稿搬送装置２２を備えており、自動原稿搬送装置２２は、画像形成装置本体１ａの前面に配置されている。又、原稿が画像形成装置本体１ａに対して略垂直方向に搬送されるとともに、原稿は自動原稿搬送装置２２に対して、下方向へ挿入され、上方向へ排出されるように構成されている。【選択図】  図２
2005244653.tif 000002
【特許請求の範囲】
【請求項１】
装置本体と、原稿の流し読みを行うための自動原稿搬送装置と、を備える画像形成装置において、
前記自動原稿搬送装置が、前記装置本体の前面もしくは側面に配置されており、かつ、前記原稿が前記装置本体に対して略垂直方向に搬送されるとともに、前記自動原稿搬送装置において、前記原稿は、前記自動原稿搬送装置に対して下方向へ挿入され、上方向へ排出されることを特徴とする画像形成装置。
【請求項２】
前記原稿は、前記原稿の短手方向において搬送可能であることを特徴とする請求項１に記載の画像形成装置。
【請求項３】
前記自動原稿搬送装置に、前記原稿の画像データを読み取るための画像読取部が設けられていることを特徴とする請求項１または請求項２に記載の画像形成装置。
【請求項４】
前記自動原稿搬送装置が、前記装置本体の前面に配置されるとともに、前記装置本体に回動自在に支持されることにより開閉可能となることを特徴とする請求項１乃至請求項３のいずれかに記載の画像形成装置。
【請求項５】
前記自動原稿搬送装置に、排出された前記原稿が積載される原稿排出トレイと、前記原稿排出トレイの外側に配置された外装カバーが設けられていることを特徴とする請求項１乃至請求項４のいずれかに記載の画像形成装置。
【発明の詳細な説明】
【技術分野】
【０００１】
本発明は、複写機、ファクシミリ、プリンタ等の画像形成装置に関するものであり、特に、原稿を一定速度で移動させながら原稿の画像を読取る流し読みを行うための自動原稿搬送装置を備える画像形成装置に関する。
【背景技術】
【０００２】
従来、複写機、ファクシミリ、プリンタ等の画像形成装置においては、画像データに基づき電子写真プロセスにより用紙に所定のトナー像を形成する画像形成部の上方に、複写すべき原稿の画像データを読取るための画像読取装置が設けられており、この画像読取装置における読取り光学系としては、コンタクトガラス上に載置された原稿を光源によりスリット照射し、その反射光を第１ミラーにより原稿面に平行に反射させ、互いに直交する第２、第３ミラーを経て逆方向に反射させ、結像レンズによりＣＣＤセンサ上に結像させるように構成したものが一般に採用されている。
【０００３】
又、近年、画像形成速度の高速化等の要請から、この様な画像読取装置に設けられたコンタクトガラスの上方にシートスルー方式で画像の読取りを行うための自動原稿搬送装置を取り付け、流し読み用コンタクトガラス上に原稿を一定速度で自動的に移動させながら原稿の画像を読取る「流し読み」を行うものが開発されている。この場合、自動原稿搬送装置には、原稿が載置され、挿入される原稿給紙台と、当該原稿給紙台への原稿のセット状態を検知する原稿検知センサと、原稿挿入口付近に設けられ、原稿の長さ方向（又は、幅方向）における位置を規制するための規制部材等が設けられており、当該原稿検知センサにより原稿のセットが検知された後に、当該原稿が給紙部により自動原稿搬送装置内に給紙され、原稿用搬送路を通って、コンタクトガラスへと搬送される構成となっている。（例えば、特許文献１参照）。
【特許文献１】特開平８−２４２３２０号公報
【発明の開示】
【発明が解決しようとする課題】
【０００４】
しかし、上記従来の画像形成装置においては、上述のごとく、画像読取装置の上方に自動原稿搬送装置を取り付けて、通常の健常者が立っている状態で自動原稿搬送装置に原稿を載置するように構成されているため、画像形成装置の最上部に設置された自動原稿搬送装置を使用する際に高い位置で原稿をセットする必要があり、高齢者、障害者等、特に、車椅子の利用者にとっては原稿をセットすることが非常に困難になるという問題があった。又、従来の自動原稿搬送装置においては、原稿給紙台への挿入不良を回避するために、原稿検知センサによる原稿挿入検知位置までユーザーが原稿を挿入しなければならず、原稿をセットする際の動作が煩雑となるとともに、ユーザーによる原稿給紙台への挿入が不十分であると、原稿の搬送性能が低下することになり、結果として、紙詰まりや斜め搬送等が発生してしまうという問題があった。特に、従来の自動原稿搬送装置においては、サイズの大きな原稿（例えば、Ａ３サイズ等）を、その長手方向（又は、長さ方向）において搬送する構成となっているため、給紙時の微少な歪みが、搬送過程において、大きな歪みとなってしまい、紙詰まりや斜め搬送等の問題が発生しやすくなってしまう。
【０００５】
本発明は上記課題に鑑みてなされたものであり、利便性を向上させた自動原稿搬送装置であって、特に、高齢者や障害者等が利用する際に、使い勝手の良い自動原稿搬送装置を備える画像形成装置を提供することを目的とする。
【課題を解決するための手段】
【０００６】
上記目的を達成するために、本発明は、装置本体と、原稿の流し読みを行うための自動原稿搬送装置と、を備える画像形成装置において、自動原稿搬送装置が、装置本体の前面もしくは側面に配置されており、かつ、原稿が装置本体に対して略垂直方向に搬送されるとともに、自動原稿搬送装置において、原稿は、自動原稿搬送装置に対して下方向へ挿入され、上方向へ排出されることを特徴とする。
【０００７】
ここで、本発明の画像形成装置においては、原稿は、原稿の短手方向において搬送可能であるものとすることができる。
【０００８】
又、本発明の画像形成装置においては、自動原稿搬送装置に、原稿の画像データを読み取るための画像読取部が設けられているものとすることができる。
【０００９】
又、本発明の画像形成装置においては、自動原稿搬送装置が、装置本体の前面に配置されるとともに、装置本体に回動自在に支持されることにより開閉可能となるものとすることができる。
【００１０】
更に、本発明の画像形成装置においては、自動原稿搬送装置に、排出された原稿が積載される原稿排出トレイと、原稿排出トレイの外側に配置された外装カバーが設けられているものとすることができる。
【発明の効果】
【００１１】
本発明によれば、自動原稿搬送装置が、装置本体の前面もしくは側面に配置される構成としているため、画像形成装置全体の高さを低く構成することが可能になり、自動原稿搬送装置を使用する際に高い位置で原稿をセットする必要がなくなるため、高齢者、障害者等、特に、車椅子の利用者が自動原稿搬送装置に原稿をセットすることが容易になり、結果として、使い勝手の良い自動原稿搬送装置を提供することが可能になる。
【００１２】
又、装置本体に対して略垂直方向に原稿を搬送するとともに、自動原稿搬送装置に対して、原稿を下方向へ挿入し、上方向へ排出する構成としているため、一旦、原稿を挿入すると、重力により原稿搬送方向に原稿が移動する。従って、重力に逆らうことなく、当該原稿搬送方向へ原稿を挿入することが可能になり、結果として、ユーザーにおいて、原稿の挿入負担が低減される。又、原稿給紙位置への挿入不良を確実に回避することが可能になるため、原稿の搬送性能が向上することになり、結果として、紙詰まりや斜め搬送の発生を確実に回避することが可能になる。又、一旦、原稿が排出されると、重力により、当該原稿は、その下端部の辺が自動的に揃うことになるため、排出された原稿が嵩張ることがなくなるとともに、原稿の保持性が良くなり、結果として、排出原稿を取り出しやすくなる。
【００１３】
又、本発明によれば、原稿は、当該原稿の短手方向において搬送可能となる構成としているため、サイズの大きな原稿（例えば、Ａ３サイズ等）を、その長手方向（又は、長さ方向）において搬送する必要がなくなる。従って、搬送方向における原稿長が、当該原稿の幅と同一の大きさとなるため、搬送方向における原稿長を短くすることが可能になり、原稿のサイズが大きい場合であっても、紙詰まりや斜め搬送等を確実に防止することが可能になる。
【００１４】
又、本発明によれば、自動原稿搬送装置に、原稿の画像データを読み取るための画像読取部を設ける構成としているため、原稿の画像データを読取るための画像読取装置を別途設ける必要がなくなるとともに、プリンタ仕様の画像形成装置を複写機として使用することが可能になる。
【００１５】
又、本発明によれば、自動原稿搬送装置が、装置本体の前面に配置されるとともに、装置本体に回動自在に支持されることにより開閉可能となるように構成しているため、自動原稿搬送装置を装置本体の前側カバーと代替可能な構成とすることが可能となる。従って、自動原稿搬送装置が装置本体の前側カバーの役割を果たすため、前側カバーを別途設ける必要がなくなり、コストアップを抑制することが可能になる。
【００１６】
更に、本発明によれば、自動原稿搬送装置に、排出された原稿が積載される原稿排出トレイと、原稿排出トレイの外側に配置された外装カバーが設けられている構成としているため、自動原稿読取装置において、装置本体に対して原稿を略垂直方向に搬送する構成とした場合であっても、原稿排出トレイに積載された原稿が落下するという不都合が生じることがなくなる。
【発明を実施するための最良の形態】
【００１７】
以下に、本発明の具体的な実施形態について図面を参照しながら説明する。図１は、本発明の実施形態に係る画像形成装置の全体構成を示す概略図である。
【００１８】
図１に示す様に、この画像形成装置１は、画像形成装置本体１ａの下部に配設された給紙部２と、この給紙部２の側方及び上方に配設された用紙搬送部３と、この用紙搬送部３の右方に配設された画像形成部４とを備えている。
【００１９】
給紙部２は、用紙が収容された複数の給紙カセット６を備えており、給紙ローラ７の回転動作により、当該給紙カセット６から用紙が用紙搬送部３側に送り出され、用紙が１枚ずつ確実に用紙搬送部３に給紙されるように構成されている。尚、これらの給紙カセット６は、画像形成装置本体１ａに対し、着脱自在となるように構成されている。
【００２０】
又、給紙部２には、手差し給紙ユニット８が設けられており、当該手差し給紙ユニット８は、手差し給紙トレイ９と、給紙ローラ１０を備えている。手差し給紙トレイ９に載置された用紙は、給紙ローラ１０の回転動作により、当該手差し給紙トレイ９から用紙供給搬送路１１に送り出され、用紙が１枚ずつ用紙搬送部３に給紙されるように構成されている。
【００２１】
用紙供給搬送路１１に給紙された用紙は、用紙搬送部３を経由して画像形成部４に向けて搬送される。この画像形成部４は、電子写真プロセスによって、用紙に所定のトナー像を形成するものであり、所定の方向（図中の矢印方向）に回転可能に軸支された像端持体である感光体１２と、この感光体１２の周囲にその回転方向に沿って、帯電ユニット１３、現像ユニット１４、転写ユニット１５、クリーニングユニット１６および除電ユニット１７を備えている。
【００２２】
帯電ユニット１３は、高電圧が印加される帯電ワイヤを備えており、この帯電ワイヤからのコロナ放電によって感光体１２の表面に所定電位を与えることにより、感光体１２の表面が一様に帯電させられる。そして、後述の画像読取部２８により読取られた原稿の画像データに基づくレーザ走査ユニット（ＬＳＵ）１８からのレーザビームにより感光体ドラム１２上に静電潜像が形成される。次いで、現像ユニット１４により、上記静電潜像にトナーが付着し、感光体１２の表面にトナー像が形成され、転写ユニット１５により、感光体１２の表面のトナー像が、感光体１２と転写ユニット１５との間に供給された用紙に転写される。
【００２３】
トナー像が転写された用紙（以下、「転写紙」という）は、画像形成部４から定着ローラ対１９に向けて搬送される。この定着ローラ対１９は、画像形成部４の用紙搬送方向の下流側に配置されており、転写紙は定着ローラ対１９を構成する加熱ローラ、及び当該加熱ローラに押し付けられる加圧ローラによって挟まれるとともに加熱され、転写紙上にトナー像が定着される。
【００２４】
次いで、画像形成部４から定着ローラ対１９において画像形成がなされた転写紙は、排出手段である排出ローラ対２０によって画像形成装置本体１ａの胴内に設けられた用紙排出部２１に排出され、当該用紙排出部２１に積載される。一方、上記転写後、感光体１２の表面に残留しているトナーは、クリーニングユニット１６により除去され、感光体１２の表面の残留電荷は、除電ユニット１７により除去される。そして、感光体１２は帯電ユニット１３によって再び帯電され、以下同様にして画像形成が行われることになる。
【００２５】
次に、自動原稿搬送装置について図面を参照しながら説明する。図２、図３は、本発明の実施形態に係る画像形成装置の外観構成を示す概略図であり、特に、図２は、画像形成装置本体に対して自動原稿搬送装置を閉じた状態を、図３は、画像形成装置本体に対して自動原稿搬送装置を開いた状態を示す概略図である。又、図４、図５は、本発明の実施形態に係る画像形成装置における自動原稿搬送装置の外観構成を示す概略図であり、特に、図４は、自動原稿搬送装置の外装カバーを閉じた状態を、図５は、自動原稿搬送装置の外装カバーを開いた状態を示す概略図である。又、図６は、図４、図５に示した自動原稿搬送装置の全体構成を示す側面断面図である。
【００２６】
図２に示す様に、本実施形態の画像形成装置１は、原稿の流し読みを行うための自動原稿搬送装置２２を備えており、当該自動原稿搬送装置２２は、画像形成装置本体１ａの前面に配置されている。尚、図７に示す様に、画像形成装置本体１ａの前面に前側カバー４０を設けるとともに、自動原稿搬送装置２２を、画像形成装置本体１ａの側面（図７においては、左側面）に配置する構成とすることも可能である。
【００２７】
この自動原稿搬送装置２２は、図２、図３に示す様に、画像形成装置本体１ａに回動自在に支持されることにより開閉可能となるように構成されており、より具体的には、例えば、自動原稿搬送装置本体２２ａの一端側（図においては左端側）に軸部（不図示）を設けることにより、当該軸部を開閉支点部として自動原稿搬送装置２２を画像形成装置本体１ａに対して開閉可能に軸支する構成としている。従って、当該自動原稿搬送装置２２を、図７において示した画像形成装置本体１ａの前側カバー４０と代替可能な構成とすることにより、自動原稿搬送装置２２が画像形成装置本体１ａの前側カバー４０の役割を果たすことになる。尚、画像形成装置本体１ａに上述の前側カバー４０を設け、当該前側カバー４０の表面上に自動原稿搬送装置２２を開閉可能に設ける構成としても良い。
【００２８】
ここで、本実施形態における自動原稿搬送装置２２は、図４〜図６に示す様に、原稿給紙トレイ２３と、原稿の有無を検知するための検知手段である原稿検知用センサ２４と、原稿の長さ方向（又は、幅方向）における位置を規制するための規制部材２６と、給紙された原稿を搬送するための原稿用搬送路２７と、原稿の画像を読み取るための画像読取部２８と、原稿を排出するための原稿排出用搬送路２９と、排出された原稿が積載される原稿排出トレイ３０とを備えている。
【００２９】
原稿１４の流し読みを行う場合は、まず、ユーザーが、自動原稿搬送装置２２の上方から、原稿挿入口３１に原稿を挿入し、規制部材２６により、原稿の長さ方向（又は、幅方向）における位置を規制する。この際、本実施形態においては、上述のごとく、自動原稿搬送装置２２の上方から、原稿挿入口３１に原稿を挿入し（即ち、原稿を下方向へと挿入し）、原稿給紙トレイ２３に原稿を載置する構成としているため、一旦、原稿挿入口３１に原稿を挿入すると、重力により、原稿が原稿搬送方向（即ち、図中のＡの方向）に移動するとともに、所定の給紙位置Ｂにセットされることになる。従って、重力に逆らうことなく、原稿を当該原稿搬送方向へ挿入することが可能になるとともに、当該原稿を所定の給紙位置Ｂに自動的にセットすることが可能になる。
【００３０】
尚、原稿検知用センサ２４は、所定の最小サイズの原稿（例えば、Ｂ５サイズや、ハガキサイズ）を検知することができる位置であれば、どの位置に配置しても良く、例えば、図６に示す様に、原稿給紙トレイ２３上であって、所定の最小サイズの原稿を検知することができる位置に設ける構成とすることができる。
【００３１】
又、図４に示す様に、自動原稿搬送装置２２は、サイズの大きな原稿Ｐ（例えば、Ａ３サイズ等）を、その短手方向（即ち、原稿Ｐの幅方向であって、図中の矢印Ｈの方向）において、原稿挿入口３１に挿入し、当該短手方向において原稿を搬送可能となる様に構成されている。従って、サイズの大きな原稿を、その長手方向（即ち、原稿Ｐの長さ方向であって、図中の矢印Ｉの方向）において搬送する必要がなくなるため、搬送方向における原稿長が、当該原稿の幅と同一の大きさとなり、搬送方向における原稿長を短くすることが可能になる。
【００３２】
上述の給紙位置Ｂまで搬送された原稿は、原稿検知用センサ２４により検知され、図示しないＣＰＵ等の制御手段により、給紙位置Ｂに設けられたピックアップローラ３４の駆動が開始される。そして、当該ピックアップローラ３４により、原稿は、自動原稿搬送装置２２内に給紙され、一対のレジストローラ３５により、原稿用搬送路２７を経由して、画像読取部２８へと搬送される。ここで、本実施形態においては、当該画像読取部２８に、ＣＣＤ又はＣＭＯＳラインセンサ等を用いたコンタクトイメージセンサ（ＣＩＳ）を使用する構成としており、搬送された原稿が画像読取部２８上を通過する際に、当該原稿の画像が画像読取部２８により読取られる構成となっている。
【００３３】
その後、画像が読取られた原稿は、原稿用搬送路２７を経由して、中間搬送ローラ３６により、自動原稿搬送装置２２の後面側から前面側（即ち、図中の矢印Ｄの方向）へ搬送されるとともに、原稿排出用搬送路２９を経由して、排出ローラ対３７により、上方向（即ち、図中の矢印Ｃの方向）へと搬送されることにより排出され、当該排出された原稿が原稿排出トレイ３０上へ積載される。この様に、本実施形態においては、原稿挿入口３１に挿入された原稿を、画像形成装置本体１ａに対して略垂直方向（即ち、上下方向）に搬送する構成としている。
【００３４】
この際、本実施形態においては、上述のごとく、原稿を上方向（即ち、図中の矢印Ｃの方向）へと搬送することにより排出する構成としているため、一旦、原稿排出トレイ３０上に原稿が排出されると、重力により、当該原稿は、その下端部の辺が自動的に揃うことになる。
【００３５】
又、本実施形態においては、原稿排出トレイ３０の外側に外装カバー３９を設ける構成としているため、自動原稿搬送装置２２において、画像形成装置本体１ａに対して原稿を略垂直方向に搬送する構成とした場合であっても、原稿排出トレイ３０に積載された原稿が落下するという不都合が生じることはない。尚、当該外装カバー３９は、図５に示す様に、自動原稿搬送装置本体２２ａに回動自在に支持されることにより開閉可能となるように構成されている。
【００３６】
以上に説明した様に、本実施形態においては、原稿の流し読みを行うための自動原稿搬送装置２２を、画像形成装置本体１ａの前面もしくは側面に配置する構成としているため、画像形成装置１全体の高さを低く構成することが可能になり、自動原稿搬送装置２２を使用する際に高い位置で原稿をセットする必要がなくなるため、高齢者、障害者等、特に、車椅子の利用者が自動原稿搬送装置２２に原稿をセットすることが容易になり、結果として、使い勝手の良い自動原稿搬送装置を提供することが可能になる。
【００３７】
又、自動原稿搬送装置２２に原稿の画像データを読み取るための画像読取部２８を設ける構成としているため、原稿の画像データを読取るための画像読取装置を別途設ける必要がなくなるとともに、プリンタ仕様の画像形成装置を複写機として使用することが可能になる。
【００３８】
又、自動原稿搬送装置２２を画像形成装置本体１ａの前面に配置するとともに、当該自動原稿搬送装置２２が画像形成装置本体１ａに回動自在に支持されることにより開閉可能となるように構成しているため、自動原稿搬送装置２２を画像形成装置本体１ａの前側カバーと代替可能な構成とすることが可能となる。従って、自動原稿搬送装置２２が画像形成装置本体１ａの前側カバーの役割を果たすため、当該前側カバーを別途設ける必要がなくなり、コストアップを抑制することが可能になる。
【００３９】
又、画像形成装置本体１ａに対して略垂直方向に原稿を搬送するとともに、自動原稿搬送装置２２に対して、当該原稿を下方向へ挿入し、上方向へ排出する構成としているため、一旦、原稿挿入口３１に原稿を挿入すると、重力により原稿搬送方向（即ち、図中のＡの方向）に原稿が移動することになる。従って、重力に逆らうことなく、当該原稿搬送方向へ原稿を挿入することが可能になるとともに、当該原稿を所定の給紙位置Ｂに自動的にセットすることが可能になるため、結果として、ユーザーにおいて、原稿の挿入負担が低減される。又、原稿給紙位置Ｂへの挿入不良を確実に回避することが可能になるため、原稿の搬送性能が向上することになり、結果として、紙詰まりや斜め搬送の発生を確実に回避することが可能になる。又、一旦、原稿排出トレイ３０上に原稿が排出されると、重力により、当該原稿は、その下端部の辺が自動的に揃うことになるため、排出された原稿が嵩張ることがなくなるとともに、原稿排出トレイ３０上における原稿の保持性が良くなり、結果として、積載された排出原稿を取り出しやすくなる。
【００４０】
又、原稿は、当該原稿の短手方向（即ち、幅方向）において搬送可能となる構成としているため、サイズの大きな原稿（例えば、Ａ３サイズ等）を、その長手方向（又は、長さ方向）において搬送する必要がなくなる。従って、搬送方向における原稿長が、当該原稿の幅と同一の大きさとなるため、搬送方向における原稿長を短くすることが可能になり、仮に、給紙時（又は、原稿給紙位置Ｂへの挿入時）に微少な歪みが生じた場合であっても、搬送過程において、当該微少な歪みが大きな歪みとなるのを回避することができるため、原稿のサイズが大きい場合であっても、紙詰まりや斜め搬送等を確実に防止することが可能になる。
【００４１】
更に、本実施形態においては、原稿排出トレイ３０の外側に外装カバー３９を配置する構成としているため、自動原稿読取装置２２において、画像形成装置本体１ａに対して、原稿を略垂直方向に搬送する構成とした場合であっても、原稿排出トレイ３０に排出された原稿が落下するという不都合を回避することができる。
【００４２】
尚、上記実施形態は、単なる説明例であり、本発明の範囲は、上記実施形態に限定されるものではなく、本発明の趣旨に基づいて各構成物品の形状、寸法、材料等を変更することが可能であり、それらを本発明の範囲から除外するものではない。
【００４３】
例えば、上記実施形態においては、原稿の画像データを読取るための画像読取装置を別途設けていないプリンタ仕様の画像形成装置１に自動原稿搬送装置２２を設けるとともに、当該自動原稿搬送装置２２に原稿の画像を読取るための画像読取部２８を設ける構成としたが、画像形成装置本体１ａの上方に画像読取装置を備える複写機仕様の画像形成装置１において、画像形成装置本体１ａの前面に自動原稿搬送装置２２を配置するとともに、当該自動原稿搬送装置２２に原稿の画像を読取るための画像読取部２８を設ける構成としても良い。尚、この場合も、自動原稿搬送装置２２を、画像形成装置本体１ａの左右側面に配置する構成としても良いことは言うまでもない。
【産業上の利用可能性】
【００４４】
本発明の活用例としては、複写機、ファクシミリ、プリンタ等の画像形成装置に関するものであり、特に、原稿を一定速度で移動させながら原稿の画像を読取る流し読みを行うための自動原稿搬送装置を備える画像形成装置が挙げられる。
【図面の簡単な説明】
【００４５】
【図１】本発明の実施形態に係る画像形成装置の全体構成を示す概略図である。
【図２】本発明の実施形態に係る画像形成装置の外観構成を示す概略図であり、特に、画像形成装置本体に対して自動原稿搬送装置を閉じた状態を示す概略図である。
【図３】本発明の実施形態に係る画像形成装置の外観構成を示す概略図であり、特に、画像形成装置本体に対して自動原稿搬送装置を開いた状態を示す概略図である。
【図４】本発明の実施形態に係る画像形成装置における自動原稿搬送装置の外観構成を示す概略図であり、特に、自動原稿搬送装置の外装カバーを閉じた状態を示す概略図である。
【図５】本発明の実施形態に係る画像形成装置における自動原稿搬送装置の外観構成を示す概略図であり、特に、自動原稿搬送装置の外装カバーを開いた状態を示す概略図である。
【図６】図４、図５に示した自動原稿搬送装置の全体構成を示す側面断面図である。
【図７】本発明の実施形態に係る画像形成装置の変形例の全体構成を示す概略図である。
【符号の説明】
【００４６】
１        画像形成装置
１ａ      画像形成装置本体
４        画像形成部
６        給紙カセット
１８      レーザ走査ユニット
２１      用紙排出部
２２      自動原稿搬送装置
２２ａ    自動原稿搬送装置本体
２３      原稿給紙用トレイ
２４      原稿検知用センサ
２７      原稿用搬送路
２８      画像読取部
２９      原稿排出用搬送路
３０      原稿排出トレイ
３１      原稿挿入口
３９      外装カバー
４０      画像読取装置      
【図１】
2005244653.tif 000003
【図２】
2005244653.tif 000004
【図３】
2005244653.tif 000005
【図４】
2005244653.tif 000006
【図５】
2005244653.tif 000007
【図６】
2005244653.tif 000008
【図７】
2005244653.tif 000009